(57)【要約】      （修正有）【課題】拭取部材を支持した拭取具に対して保持具を十分な保持力で取り付けることができ、かつワンタッチで挿脱でき、さらに簡単な構造で低価格に製造できる挿脱自在構造を備えた清掃具を提供する。【解決手段】拭取具１ａを支持した拭取具１に対し保持具２を挿着するとき、板状片５を孔部９の開口から挿入する。板状片５全体が細長状でかつ小判状の舌片形状であるため、孔部９の内部を広げながら進入していく。中空部７の両側部６が幅方向に撓みながら孔部９内部を圧接する状態となって密着する。板状片５全長が孔部９内部に収まった状態では、側部６の幅広部がきっちりと密着した状態となり、拭取具１を保持具２で保持することができる。【選択図】図３
2005237589.tif 000002
【特許請求の範囲】
【請求項１】
拭取部材を基部に支持した拭取具と、グリップ部に板状片を突設した保持具とからなり、前記保持具を前記拭取具に前記板状片を介して挿脱自在に取り付けてなる清掃具において、前記基部に少なくとも一端に開口を有した孔部を形成し、前記板状片に、幅広部を設け、かつ中空部を穿設して幅方向に可撓自在とし、前記板状片を前記孔部に前記開口より挿入したとき少なくとも前記幅広部で圧接状態に保持されるようにしたことを特徴とする清掃具。
【請求項２】
前記板状片の全体形状を小判状に形成してなる請求項１に記載の清掃具。
【請求項３】
前記板状片は長尺状板材からなり、その板材の側部に突設した凸部によって前記幅広部を形成してなる請求項１に記載の清掃具。
【請求項４】
前記中空部は、少なくとも前記幅広部の形成域の長さを備えた長孔形状を有する請求項１〜３のいずれかに記載の清掃具。
【請求項５】
前記基部は布材からなり、前記基部上に筒状に縫製加工することによって前記孔部を形成した、請求項１〜４のいずれかに記載の清掃具。
【請求項６】
前記グリップ部の根元近傍にクリップ片を突設し、前記板状片を前記孔部に挿入した状態で、前記クリップ片が前記基部を上方より圧接するようにした請求項１〜５のいずれかに記載の清掃具。
【発明の詳細な説明】
【技術分野】
【０００１】
本発明は、モップなどの清掃具に関し、殊に、拭取部材を支持した拭取具に、グリップ部を備えた保持具を挿脱自在に取り付けてなる清掃具に関する。
【背景技術】
【０００２】
一般に、この種の清掃具は、布地、スポンジ、パイル生地などからなる拭取部材を有し、タンスなどの家具、テレビやステレオなどの電化製品、フロア面などを清掃するために使用されている。拭取部材は掃除回数が増えるに従い汚れていくため、家庭や職場で新しいものに取り替えたり、あるいはリース業者の手によって定期的に交換される。この取替えや交換の手間を簡単にするために、拭取部材を支持した拭取具に対して、グリップ部を含む保持具を簡易に着脱する着脱構造が採用されている。例えば、下記の特許文献１の特開平８−８９４６４号公報に示されるように、樹脂成型加工等で製造した着脱機構を使用するものがある。しかし、このような機構を使用すると成型加工に費用を要してコストアップとなるとともに、何度も着脱を繰り返すうちに着脱部が破損したり、がたついたりする不具合があった。
【０００３】
そこで、上記のような着脱機構を使用せずに、より簡易な構成にするために、例えば、下記の特許文献２の特開２００３−２６５３９１号公報に示されるように、拭取具に対して保持具を挿脱自在としたものがある。図６に示すように、把手２０はグリップ４０の根元で二股状に平行に伸びた一対の差込片３１を有する。モップ繊維材を支持したモップ本体１０には、平行して筋状に縫製した３本のラインａによって一対の隙間ｂを施している。隙間ｂは差込片３１より少し短めの空隙長さを有する。各差込片３１には、複数の抜け落ち防止用突起３２が側部に形成されている。差込片３１をそれぞれ隙間ｂに対して挿抜することによって把手２０をモップ本体１０にワンタッチで取り付け、取り外しする構成となっている。
【０００４】
差込片３１の中心部分はそれぞれ長尺状の矩形片から構成されているため、突起３２の接触作用だけで抜け落ちないようになっている。しかし、グリップ４０を持って前後左右に動かして掃除を繰り返すと、縫製用のラインａが徐々に緩んだり、伸びたりしてくるため、隙間ｂが拡幅されていき、差込片３１が隙間ｂから抜け落ちやすくなる不具合があった。一方、隙間ｂをストレート形状から、中ほどを絞った形状にすれば、差込片３１が抜け落ちにくくなるが、その反面隙間ｂを外すときに力が必要となり作業者に負担をかけるとともに、ワンタッチさがなくなる問題を生じる。しかも、１片だけの差込片では差込保持力が弱いため一対の差込片３１を必要としているが、構造が複雑となって成型加工コストが高くなる問題があった。
【特許文献１】特開平８−８９４６４号公報
【特許文献２】特開２００３−２６５３９１号公報
【発明の開示】
【発明が解決しようとする課題】
【０００５】
上記のように、本発明は、拭取部材を支持した拭取具に対して保持具を十分な保持力で取り付けることができ、かつワンタッチで挿脱でき、さらに簡単な構造で低価格に製造できる挿脱自在構造を備えた清掃具を提供することを目的とする。
【課題を解決するための手段】
【０００６】
本発明は前記課題を解決するためになされたものであり、本発明の第１の形態は、拭取部材を基部に支持した拭取具と、グリップ部に板状片を突設した保持具とからなり、前記保持具を前記拭取具に前記板状片を介して挿脱自在に取り付けてなる清掃具であって、前記基部に少なくとも一端を開口を有した孔部を形成し、前記板状片に、幅広部を設け、かつ中空部を穿設して幅方向に可撓自在とし、
前記板状片を前記孔部に前記開口より挿入したとき少なくとも前記幅広部で圧接状態に保持されるようにした清掃具である。
【０００７】
本発明の第２の形態は、前記第１の形態において、前記板状片の全体形状を小判状に形成してなる清掃具である。
【０００８】
本発明の第３の形態は、前記第１の形態において、前記板状片は長尺状板材からなり、その板材の側部に突設した凸部によって前記幅広部を形成してなる清掃具である。
【０００９】
本発明の第４の形態は、前記第１〜３のいずれかの形態において、前記中空部は、少なくとも前記幅広部の形成域の長さを備えた長孔形状を有する清掃具である。
【００１０】
本発明の第５の形態は、前記第１〜４のいずれかの形態において、前記基部は布材からなり、前記基部上に筒状に縫製加工することによって前記孔部を形成した清掃具である。
【００１１】
本発明の第６の形態は、前記第１〜５のいずれかの形態において、前記グリップ部の根元近傍にクリップ片を突設し、前記板状片を前記孔部に挿入した状態で、前記クリップ片が前記基部を上方より圧接するようにした清掃具である。
【発明の効果】
【００１２】
本発明の第１の形態によれば、前記板状片に穿設した前記中空部によって幅方向に可撓性を持たせているため、前記板状片を前記孔部に挿入するとき、撓んで幅方向に縮み、スムーズに挿着できる。その挿入状態においては前記板状片全体が前記可撓性による反発力により、前記幅広部が前記孔部内部に圧接した状態でしっかりと密着して保持される、十分な挿着保持力を得ることができる。一方、前記板状片を抜く場合にも、前記中空部による可撓性によって、前記板状片を前記孔部から無理な力を要することなく抜き出すことができる。したがって、前記保持具を前記拭取具に対してワンタッチで挿脱可能な清掃具を提供することができる。また、1葉状の前記板状片によって十分な挿着保持力を得ることができるため、全体形状を簡素化でき、製造コストも安価になる利点がある。
【００１３】
本発明の第２の形態によれば、前記第１の形態において、前記板状片の全体形状を小判状に形成したので、前記幅広部で幅方向に可撓性を持たせることができる。小判状、あるいは換言すれば、楕円形状とすることによって、前記幅広部が前記孔部内部に喰いこむように圧接し、密着性のよい挿着保持力を備える。また、全体が丸みの有る板状片形状を備えることによって、前記孔部内部を傷めることなく、前記板状片の挿脱作業を円滑に行うことができる。
【００１４】
本発明の第３の形態によれば、前記第１の形態において、前記板状片は長尺状板材からなり、その板材の側部に突設した凸部によって前記幅広部を形成したので、密着性のよい挿着保持力を備えた清掃具を提供することができる。特に複数の前記凸部を設けることによって、ジグザグ状あるいは波型の圧接状態を形成できるため、より挿着保持力を高めることができる。
【００１５】
本発明の第４の形態によれば、前記第１〜３のいずれかの形態において、前記中空部は、少なくとも前記幅広部の形成域の長さを備えた長孔形状を有するため、前記幅広部が幅方向に可撓しやすい形態となる。
【００１６】
本発明の第５の形態によれば、前記第１〜４のいずれかの形態において、前記基部は布材からなり、前記基部上に筒状に縫製加工することによって前記孔部を形成したので、筒状で、布製の前記孔部により前記幅広部を包み込む圧接状態を得ることができる。したがって、良好な挿着保持性を備え、また前記布材の可撓性によって、前記保持具を前記拭取具に対してワンタッチで挿脱可能となる清掃具を簡易に構成することができる。
【００１７】
本発明の第６の形態によれば、前記第１〜５のいずれかの形態において、前記グリップ部の根元近傍にクリップ片を突設し、前記板状片を前記孔部に挿入した状態で、前記クリップ片が前記基部を上方より圧接するようにしたので、前記クリップ片による圧接力によって前記板状片の挿着状態を保持する抜け止め作用を奏し、より挿着状態が安定した清掃具を提供することができる。
【発明を実施するための最良の形態】
【００１８】
以下に、本発明に係るハンディモップの実施形態を添付する図面に従って詳細に説明する。
【００１９】
図１は本実施形態のハンディモップの外観斜視図である。このハンディモップは拭取具１に対し保持具２を挿脱自在にしたものである。拭取具１は、パイル材のモップ繊維体からなる拭取部材１ａを下面側に植設した基部８からなる。本発明においてはパイルの他にモップ繊維体としてスポンジや布地、あるいは静電吸着機能を施した合成繊維材などを使用してもよい。基部８は強度のある厚布からなり、その表面側の一枚の少し小さめの布片を２筋のストライプ状ラインＳによって縫製加工し、長孔状の孔部９が両端を開口した筒状に形成されている。孔部９の両端が開口しているのは、いずれかの開口からでも保持具２を挿脱自在としたためであるが、一方のみを開口した袋状形態でもよい。なお、モップ繊維体としてパイルや布以外のスポンジ等を使用する場合、基部８にはスポンジ材を下面に支持するためにスポンジ材を溶着する樹脂製板材を使用するとよい。その場合、保持具２を挿脱自在にするために、孔部９に伸縮性を与える軟性樹脂を用いて形成するのが好ましい。
【００２０】
図２は保持具２の外観斜視図である。保持具２はグリップ部３と、グリップ部３の根元に突設した板状片５からなる。これらは樹脂による一体成型加工されている。グリップ部３と板状片５と別々に成型し、それらを嵌合させて組み立てる構成としてもよい。グリップ部３は片手で握る大きさを有する。本発明は、箒タイプの長柄を備えたものにも適用でき、その場合には長柄の根元に板状片５が突設される。清掃作業に適するように、板状片５はグリップ部３に対して鈍角の角度に突設されている。板状片５は全体が細長状でかつ小判状の舌片形状をなし、中ほどが少し横幅が広くなっている。この幅広形成域の幅は孔部９の幅より少し広く形成されている。また、この幅広形成域を少し越える領域に渡って、板状片５の中心には長手方向に沿って細長状の中空部７が穿設されている。中空部７の両側の側部６が中空部７によって幅方向に撓み自在とした構成によって板状片５に可撓性を帯びさせている。この側部６の拡幅によって本発明の幅広部を形成している。板状片５の先端は丸みを帯びた幅狭の尖頭形状となっており、孔部９の開口に挿入しやすくしている。グリップ部３の根元近傍には、１対のクリップ片４が板状片５の根元側に突設されている。クリップ片４は断面が略スプーン状で、先端側が下方に丸い湾曲部４ａを備え、湾曲部４ａと連なる水平軸部４ｂがグリップ部３の根元近傍に可撓自在に突設されている。湾曲部４ａの最下面は板状片５の表面より少し下方に位置し、板状片５を孔部９に挿入したとき、孔部９の開口付近を上側より圧接して、抜け止め作用を奏する。クリップ片４は湾曲部４ａの形態以外、例えば丸頭状や舌片状のクリップ形状でもよい。
【００２１】
上記構成にかかる本実施形態のハンディモップにおいて、図３によって、保持具２の挿脱機能を説明する。
【００２２】
拭取具１に対し保持具２を挿着するとき、板状片５を孔部９のいずれかの開口から挿入する。板状片５を挿入すると、全体が細長状でかつ小判状の舌片形状であるため、孔部９の内部を広げながら進入していく。このとき、中空部７の両側の側部６が幅方向に撓みながら孔部９内部を圧接する状態となって密着する。板状片５全長が孔部９内部に収まった状態では、側部６の幅広部がきっちりと密着した状態となり、拭取具１を保持具２で保持することができる。そして、挿入した開口付近ではクリップ片４の湾曲部４ａで上側より圧接し、板状片５の根元側での緩みを防ぎ、さらに確実な抜け止めを行うことができる。
【００２３】
次に、保持具２を外すときは、クリップ片４を少し持ち上げて、板状片５を孔部９から引き出していくと、板状片５の中空部７の両側の側部６が幅方向に撓みながら圧接状態が解除されていき、スムーズに引き抜くことができる。このようにして、側部６の幅広部による可撓性によって、挿脱自在のハンディモップを構成することができる。しかも、１枚の板状片５だけで挿着保持できる保持力を備えるため、特に樹脂成型金型が簡単になり、製造コストの低減を図ることができる。なお、本実施形態では、板状片５の幅広形成域の幅は孔部９の幅より少し広くした設定条件にしているが、挿入時に板状片５の板厚によって孔部９が盛り上がって幅狭になり、その結果、板状片５の幅広形成域の幅が孔部９より広くなる設定条件でもよい。
【００２４】
図４は、本発明に用いる別の実施形態にかかる板状片を示す。この場合、長尺状の板片からなる板状片６０の両側部に複数の丸みを帯びた凸部６１を突設している。細長状の中空部６２は各凸部６１の形成域に渡って穿設されている。各凸部６１の形成域ごとに中空部６２を分離形成してもよい。このような複数の凸部６１を形成すれば、板状片６０を挿入したとき、上記の中空部７と同様に、中空部６２による可撓性によって、各凸部６１がジグザグ状あるいは波形に孔部９内部で圧接し、圧接面積の大きい、複雑な密着状態を得ることができ、より挿着保持力を得ることができる。しかも、抜く時も、上記の板状片５と同様に、中空部６２による撓み作用によって圧接状態を解除できスムーズに取り出すことができる。また、本発明においては、図５に示すように、丸形状の凸部６３を、また中空部６４も板幅程度の内径の丸形状にしたものを単一若しくは複数形成した板状片６０でも、同様に、円滑な挿脱機能を具備させることができる。
【００２５】
本発明は上記実施形態に限定されるものではなく、本発明の技術的思想を逸脱しない範囲における種々の変形例及び設計変更をその技術的範囲内に包含するものであることは云うまでもない。
【産業上の利用可能性】
【００２６】
本発明の第１の形態を用いると、前記板状片に穿設した前記中空部によって幅方向に可撓性を持たせているため、十分な挿着保持力を備え、また前記板状片の抜き出しもスムーズに行えるといった、ワンタッチで挿脱可能な清掃具を提供することができる。また、1葉状の前記板状片でも十分な挿着保持力を備えるため、前記保持具形状の簡素化を実現でき、安価な清掃具を提供できる。
【００２７】
本発明の第２の形態を用いると、小判状の前記板状片によって前記幅広部が前記孔部内部に喰いこむように圧接し、密着性のよい挿着保持力を得ることができ、また全体が丸みの有る板状片形状によって、前記孔部内部を傷めることなく、前記板状片の挿脱作業を円滑に行うことができる。
【００２８】
本発明の第３の形態を用いると、前記板状片の側部に突設した凸部によって密着性のよい挿着保持力を備えた清掃具を提供することができる。
【００２９】
本発明の第４の形態を用いると、前記中空部は、少なくとも前記幅広部の形成域の長さを備えた長孔形状を有するため、前記幅広部が幅方向に可撓しやすく、挿脱機能に適した形態となる。
【００３０】
本発明の第５の形態を用いると、筒状で、布製の前記孔部により前記幅広部を包み込む圧接状態を得ることができ、良好な挿着保持性を備え、ワンタッチで挿脱可能となる清掃具を簡易に構成することができる。
【００３１】
本発明の第６の形態を用いると、前記第１〜５のいずれかの形態において、前記板状片の挿着状態を保持する抜け止め作用のクリップ片を備えるため、より挿着状態が安定した清掃具を提供することができる。
【図面の簡単な説明】
【００３２】
【図１】本発明の一実施形態であるハンディモップの外観斜視図である。
【図２】図1のハンディモップの保持具２の外観斜視図である。
【図３】保持具２の挿着状態を示す部分平面部である。
【図４】本発明の別の実施形態である板状片の部分平面図である。
【図５】本発明のさらに別の実施形態である板状片の部分平面図である。
【図６】従来のハンディモップの外観斜視図である。
【符号の説明】
【００３３】
１      拭取具
１ａ    拭取部材
２      保持具
３      グリップ部
５      板状片
７      中空部
８      基部
９      孔部
【図１】
2005237589.tif 000003
【図２】
2005237589.tif 000004
【図３】
2005237589.tif 000005
【図４】
2005237589.tif 000006
【図５】
2005237589.tif 000007
【図６】
2005237589.tif 000008